(57)【特許請求の範囲】
【請求項１】
受信信号のセグメント数が大きくなるほど、中間周波信号の中心周波数がより大きくなるように局部発振周波数を設定した局部発振信号を生成する局部発振器と、
前記局部発振信号及び前記受信信号を混合することにより、前記受信信号を前記中間周波信号に変換する混合器と、
前記中間周波信号のフィルタリングを行う中間周波フィルタと、
前記中間周波フィルタにてフィルタリングされた中間周波信号の復調処理を行う復調部と、
前記受信信号のセグメント数が大きくなるほど、前記局部発振器にて生成された局部発振信号の局発レベルがより大きくなるように制御する局発レベル制御部と
を有することを特徴とする受信装置。
【請求項２】
前記復調部は、前記中間周波信号に基づいて前記受信信号のセグメント数を検出することを特徴とする請求項１に記載の受信装置。
【請求項３】
前記局部発振器は、前記受信信号のセグメント数が１の場合、前記中間周波信号の中心周波数が０．５ＭＨｚ、前記受信信号のセグメント数が３の場合、前記中間周波信号の中心周波数が１ＭＨｚ、前記受信信号のセグメント数が１３の場合、前記中間周波信号の中心周波数が４ＭＨｚになるように、前記局部発振信号の局部発振周波数を変化させることを特徴とする請求項１または２に記載の受信装置。
【請求項４】
前記受信信号は、地上デジタル放送の信号であることを特徴とする請求項１から３のいずれか１項に記載の受信装置。
【請求項５】
受信信号のセグメント数が大きくなるほど、中間周波信号の中心周波数がより大きくなるように局部発振周波数を設定するとともに、局発レベルがより大きくなるように設定し、
前記局部発振周波数と前記局発レベルとに基づいて局部発振信号を生成し、
前記局部発振信号と前記受信信号とを混合することにより、前記受信信号を前記中間周波信号に変換し、
前記中間周波信号のフィルタリングを行い、
前記フィルタリングされた中間周波信号を復調する
ことを特徴とする受信方法。
【発明の詳細な説明】
【技術分野】
【０００１】
本発明は受信装置および受信方法に関し、特に、地上デジタル放送を受信する放送受信機に好適なものである。
【背景技術】
【０００２】
地上デジタル放送では、多様なサービスを提供できるようにするために、５．６ＭＨｚの１チャネル分の帯域を１３個のセグメント（約４２９ｋＨｚ幅）に分割し、１２個のセグメントを用いてハイビジョン放送を行ったり、１〜３個のセグメントを用いて携帯受信向け放送を行ったりできるように規定されている。
また、特許文献１には、受信セグメント数に応じてＩＦ周波数を変化させ、セグメント数が少ない場合には、ＩＦ周波数を下げて復調部のサンプリング周波数を低くし、低消費電力化を実現するする方法が開示されている。例えば、受信セグメント数が１セグメントの場合には、ＩＦの中心周波数を０．５ＭＨｚ、３セグメントの場合には１ＭＨｚ、１３セグメントの場合には４ＭＨｚとすることにより、復調部のサンプリング周波数を低くすることができ、低消費電力化を図ることができる。
【特許文献１】特開２００３−８４６１号公報
【発明の開示】
【発明が解決しようとする課題】
【０００３】
しかしながら、特許文献１に開示された方法では、ＩＦ周波数を低くするに従って、受信周波数と局発周波数が近づくことから、局部発振信号が、高周波増幅器を逆流してアンテナから漏洩し、他の機器に妨害を与えるという問題があった。この場合、受信周波数と局発周波数が近づくほど、局発周波数成分を取り除くフィルタの実現が困難となり、ＥＭＩ（電磁放射ノイズ）が増大する。さらに、受信周波数と局発周波数が近づくと、局部発振信号があたかも受信信号の一つのように働くため、本来の受信に妨害となるという問題もあった。
【０００４】
そこで、本発明の目的は、電磁放射ノイズを抑制しつつ、低消費電力化を図るとともに、受信周波数信号への局部発振信号の回り込みを低減することが可能な受信装置および受信方法を提供することである。
【課題を解決するための手段】
【０００５】
上述した課題を解決するために、本発明の一態様に係る受信装置によれば、受信信号のセグメント数に基づいて局部発振周波数を設定した局部発振信号を生成する局部発振器と、前記局部発振信号及び前記受信信号を混合することにより、前記受信信号を中間周波信号に変換する混合器と、前記中間周波信号のフィルタリングを行う中間周波フィルタと、前記中間周波フィルタにてフィルタリングされた中間周波信号の復調処理を行う復調部と、前記受信信号のセグメント数に基づいて、前記局部発振器にて生成された局部発振信号の局発レベルを制御する局発レベル制御部とを有することを特徴とする。
【０００６】
これにより、Ｃ／Ｎ比（Ｃａｒｒｉｅｒ  ｔｏ  Ｎｏｉｓｅ  Ｒａｔｉｏ）の余裕度に基づいて局発レベルを変えながら局部発振周波数を変化させることが可能となる。このため、受信性能の劣化を抑制しつつ、低消費電力化を図ることが可能となるとともに、受信信号と局部発振信号との周波数が近づいたために、局部発振信号の漏洩をトラップにて除去することが困難になった場合においても、電磁放射ノイズを抑制しつつ、受信周波数信号への局部発振信号の回り込みを低減することが可能となり、他の機器への妨害および本来の受信への妨害を抑制することができる。
【０００７】
また、本発明の一態様に係る受信装置によれば、受信信号のセグメント数に基づいて局部発振周波数を設定した局部発振信号を生成する局部発振器と、前記局部発振信号及び前記受信信号を混合することにより、前記受信信号を中間周波信号に変換する混合器と、前記中間周波信号のフィルタリングを行う中間周波フィルタと、前記中間周波フィルタにてフィルタリングされた中間周波信号の復調処理を行う復調部と、前記受信信号のセグメント数に基づいて、前記混合器に入力される受信信号のレベルを制御する入力レベル制御部とを有することを特徴とする。
【０００８】
これにより、Ｃ／Ｎ比の余裕度に基づいて受信信号の入力レベルを変えながら局部発振周波数を変化させることが可能となる。このため、受信性能の劣化を抑制しつつ、低消費電力化を図ることが可能となるとともに、受信信号と局部発振信号との周波数が近づいたために、局部発振信号の漏洩をトラップにて除去することが困難になった場合においても、電磁放射ノイズを低減することができ、他の機器への妨害を抑制することが可能となるとともに、混変調などの強入力特性を改善することができる。
【０００９】
また、本発明の一態様に係る受信装置によれば、前記受信信号を受信するアンテナと前記混合器との間に設けられ、前記セグメント数が所定値以上の受信信号に混合される局部発振信号を減衰させるトラップをさらに有することを特徴とする。
これにより、受信信号と局部発振信号との周波数がある程度以上離れている場合においては、局部発振信号の漏洩をトラップにて除去することが可能となる。このため、Ｃ／Ｎ比に余裕がない場合においても、受信性能の劣化を抑制しつつ、低消費電力化を図ることが可能となるとともに、電磁放射ノイズを抑制しつつ、無線周波数信号への局部発振信号の回り込みを低減することが可能となる。
【００１０】
また、本発明の一態様に係る受信装置によれば、前記復調部は、前記中間周波信号に基づいて前記受信信号のセグメント数を検出することを特徴とする。
これにより、受信信号のセグメント数を受信信号から抽出することが可能となり、受信信号のセグメント数に関する情報を別途送信することなく、受信信号のセグメント数に基づいて局部発振信号の局発レベルを制御しつつ、局部発振周波数を変化させることができる。
【００１１】
また、本発明の一態様に係る受信装置によれば、前記局部発振器は、前記受信信号のセグメント数が１の場合、前記中間周波信号の中心周波数が０．５ＭＨｚ、前記受信信号のセグメント数が３の場合、前記中間周波信号の中心周波数が１ＭＨｚ、前記受信信号のセグメント数が１３の場合、前記中間周波信号の中心周波数が４ＭＨｚになるように、前記局部発振信号の局部発振周波数を変化させることを特徴とする。
【００１２】
これにより、低消費電力化を図りつつ、地上デジタル放送におけるハイビジョン放送や携帯受信機向けサービスなどに対応することが可能となるとともに、他の機器への妨害および本来の受信への妨害を抑制することができる。
また、本発明の一態様に係る受信装置によれば、前記受信信号は、地上デジタル放送の信号であることを特徴とする。
また、本発明の一態様に係る受信方法によれば、受信信号のセグメント数に基づいて、局部発振周波数と局発レベルとを設定し、前記局部発振周波数と前記局発レベルとに基づいて局部発振信号を生成し、前記局部発振信号と前記受信信号とを混合することにより、前記受信信号を中間周波信号に変換し、前記中間周波信号のフィルタリングを行い、前記フィルタリングされた中間周波信号を復調することを特徴とする。
また、本発明の一態様に係る受信方法によれば、受信信号のセグメント数に基づいて局部発振周波数を設定し、前記設定された局部発振周波数に基づいて局部発振信号を生成し、前記受信信号のセグメント数に基づいて、前記受信信号の信号レベルを制御し、前記局部発振信号と、前記信号レベルを制御された受信信号とを混合することにより、前記受信信号を中間周波信号に変換し、前記中間周波信号のフィルタリングを行い、前記フィルタリングされた中間周波信号を復調することを特徴とする。
【発明を実施するための最良の形態】
【００１３】
以下、本発明の実施形態に係る受信装置について図面を参照しながら説明する。
図１は、本発明の第１実施形態に係る受信装置の概略構成を示すブロック図である。
図１において、受信装置には、空間に放射された電波を受信するアンテナ１１、アンテナ１１にて受信されたセグメント数が１３個の受信信号に混合される局部発振信号を減衰させる１３セグ受信時用局発トラップ１２、１３セグ受信時用局発トラップ１２を通過した受信信号を増幅する高周波増幅器１３、受信信号のセグメント数に基づいて局部発振周波数を変化させた局部発振信号を生成する局部発振器１７、局部発振器１７にて生成された局部発振信号を受信信号に混合することにより、受信信号を中間周波信号に変換する混合器１４、混合器１４から出力された中間周波信号のフィルタリングを行うことにより、中間周波信号の所望の帯域を抽出する中間周波フィルタ１５、中間周波フィルタ１５にてフィルタリングされた中間周波信号の復調処理を行う復調部１６、および受信信号のセグメント数に基づいて局部発振信号の局発レベルを制御する局発レベル制御用可変減衰器１８が設けられている。
【００１４】
そして、アンテナ１１にて受信された受信信号は、１３セグ受信時用局発トラップ１２を介して高周波増幅器１２に送られる。そして、受信信号が高周波増幅器１２にて増幅された後、混合器１４に送られるとともに、混合器１４には、局部発振器１７にて生成された局部発振信号が局発レベル制御用可変減衰器１８を介して出力される。そして、受信信号が混合器１４に送られると、混合器１４にて局部発振信号と混合され、受信信号が中間周波信号に変換される。そして、混合器１４にて生成された中間周波信号は、中間周波フィルタ１５に送られる。そして、中間周波フィルタ１５にて中間周波信号のフィルタリングが行われ、中間周波フィルタ１５にて抽出された中間周波信号の所望の帯域の信号が復調部１６に送られ、復調部１６にて復調処理が行われる。
【００１５】
そして、復調部１６は中間周波信号から受信信号のセグメント数を検出し、局部発振器１７、局発レベル制御用可変減衰器１８および中間周波フィルタ１５に受信セグメント数検出信号Ｓ１１を送る。そして、局部発振器１７では、受信セグメント数検出信号Ｓ１１に基づいて局部発振信号の局部発振周波数を変化させる。また、局発レベル制御用可変減衰器１８では、受信セグメント数検出信号Ｓ１１に基づいて局部発振信号の減衰量を変化させる。また、中間周波フィルタ１５では、受信セグメント数検出信号Ｓ１１に基づいて通過帯域の中心周波数を変化させる。
【００１６】
これにより、Ｃ／Ｎ比の余裕度に基づいて局発レベルを変えながら局部発振周波数を変化させることが可能となる。このため、受信性能の劣化を抑制しつつ、低消費電力化を図ることが可能となるとともに、受信信号と局部発振信号との周波数が近づいたために、局部発振信号の漏洩をトラップにて除去することが困難になった場合においても、電磁放射ノイズを抑制しつつ、受信周波数信号への局部発振信号の回り込みを低減することが可能となり、他の機器への妨害および本来の受信への妨害を抑制することができる。
【００１７】
例えば、地上デジタル放送では、５．６ＭＨｚの１チャネル分の帯域が１３個のセグメントに分割されている。そして、中央の１セグメント分の帯域を除く１２個のセグメント分の帯域を用いてハイビジョン放送を行ったり、中央の１セグメント分の帯域を用いて携帯受信機向けサービスを行ったりできるように規定されている。
そして、受信信号のセグメント数が１３の場合、局部発振器１７は、中間周波信号の中心周波数が４ＭＨｚになるように、局部発振信号の局部発振周波数を変化させることができる。また、局発レベル制御用可変減衰器１８は、局部発振信号の局発レベルが最大になるように局部発振信号の減衰量を０に設定することができる。さらに、中間周波フィルタ１５は、中心周波数が４ＭＨｚになるように通過帯域の中心周波数を変化させることができる。
【００１８】
ここで、局部発振信号の減衰量を０に設定することにより、混合器１４を最大利得で動作させることができ、受信性能を最大として、６４ＱＡＭのハイビジョン放送の受信が可能となる。また、この時の局部発振信号が高周波増幅器１３を逆流した場合においても、局部発振信号の漏洩は１３セグ受信時用局発トラップ１２にて低減することができ、アンテナ１１から局部発振信号が漏洩することを抑制して、電磁放射ノイズを低減することができる。なお、受信信号の周波数と局部発振信号の周波数は４ＭＨｚだけ離れているから、１３セグ受信時用局発トラップ１２の設計は可能である。
【００１９】
また、受信信号のセグメント数が３の場合、局部発振器１７は、中間周波信号の中心周波数が１ＭＨｚになるように、局部発振信号の局部発振周波数を変化させることができる。また、局発レベル制御用可変減衰器１８は、局部発振信号の局発レベルが低下するように局部発振信号の減衰量を増大させることができる。さらに、中間周波フィルタ１５は、中心周波数が１ＭＨｚになるように通過帯域の中心周波数を変化させることができる。
【００２０】
また、受信信号のセグメント数が１の場合、局部発振器１７は、中間周波信号の中心周波数が０．５ＭＨｚになるように、局部発振信号の局部発振周波数を変化させることができる。また、局発レベル制御用可変減衰器１８は、局部発振信号の局発レベルが低下するように局部発振信号の減衰量を最大に設定することができる。さらに、中間周波フィルタ１５は、中心周波数が０．５ＭＨｚになるように通過帯域の中心周波数を変化させることができる。
【００２１】
ここで、局部発振信号の局発レベルを低下させると、混合器１４の利得が減少して受信性能が悪化するが、例えば、その悪化分をＣ／Ｎ比の余裕分の１１．６ｄＢに設定しておけば、ＱＰＳＫ放送の受信が可能となる。この場合、受信信号の周波数と局部発振信号の周波数の差は０．５ＭＨｚと極めて近いため、局部発振信号の漏洩は、トラップで除去するのは困難であるが、局発レベルそのものを低減しているため、電磁放射ノイズを抑制することができる。また、受信信号の周波数と局部発振信号の周波数が近づくと、局部発振信号があたかも受信信号の一つのように働くため、本来の受信に妨害となるが、これも局発レベルそのものを低減しているため、本来の受信に与える妨害を抑制することができる。
【００２２】
なお、図１の実施形態では、１３セグ受信時用局発トラップ１２を高周波増幅器１３の前段に配置する方法について説明したが、１３セグ受信時用局発トラップ１２を高周波増幅器１３と混合器１４との間に配置するようにしてもよい。また、図１の実施形態では、受信信号のセグメント数に基づいて局部発振信号の局発レベルを制御するために、局部発振器１７の後段に局発レベル制御用可変減衰器１８を配置する方法について説明したが、局部発振器１７の局発レベルを直接制御するようにしてよい。さらに、図１の実施形態では、受信信号のセグメント数に基づいて局部発振信号の局部発振周波数を変化させるために、局部発振器１７の局部発振周波数を制御する方法について説明したが、局部発振器１７の周波数を変化させるＰＬＬ回路またはＤＬＬ回路を設け、受信信号のセグメント数に基づいてＰＬＬ回路またはＤＬＬ回路の動作周波数を制御するようにしてもよい。
【００２３】
図２は、本発明の一実施形態に係る受信周波数および局部発振周波数とトラップの特性の関係を示す図である。
図２において、１３セグメント受信時（図２（ａ））には、受信信号の周波数ＲＦ１と局部発振信号の周波数ＬＯ１が４ＭＨｚだけ離れているため、受信信号を減衰させることなく、局部発振信号を減衰させるように１３セグ受信時用局発トラップ１２の特性Ｔ１を設定することができる。
【００２４】
一方、１セグメント受信時（図２（ｂ））には、受信信号の周波数ＲＦ２と局部発振信号の周波数ＬＯ２が０．５ＭＨｚしか離れていためため、受信信号を減衰させることなく、局部発振信号を減衰させるように１セグ受信時用局発トラップ１２の特性Ｔ２を設定することは困難である。このため、この場合には、局部発振信号の局発レベルそのものを低下させることにより、電磁放射ノイズを抑制することができる。
【００２５】
図３は、本発明の一実施形態に係る局発レベルの制御方法を示す図である。
図３において、１３セグメント受信時には、局部発振信号の減衰量を０に設定することにより、混合器１４を最大利得で動作させることができ、受信性能を最大として、６４ＱＡＭのハイビジョン放送の受信が可能となる。
一方、１セグメントＱＰＳＫ受信時には、Ｃ／Ｎ比に１１．６ｄＢの余裕分Δがあるから、その余裕分に対応して局部発振信号の局発レベルを低下させることにより、局部発振信号の漏洩をトラップで除去することが困難である場合においても、電磁放射ノイズを抑制することができる。
【００２６】
すなわち、地上波デジタル放送では階層伝送方式が用いられ、固定受信、移動体、携帯のそれぞれの受信形態ごとに別の階層で放送サービスが行われる。そして、これらの階層ごとに使用可能な伝送パラメータが複数規定されている。この伝送パラメータには変調方式および符号化率が含まれており、地上波デジタル放送における変調方式には、例えば、ＱＰＳＫ、１６ＱＡＭ、６４ＱＡＭの３種類が規定されている。また、符号化率には、１／２、２／３、３／４、５／６、７／８の５種類が規定されている。そして、これらの伝送容量とエラーフリーで復号可能な所要Ｃ／Ｎ値（搬送波電力と雑音電力との比）が異なっている。
【００２７】
例えば、ＱＰＳＫと符号化率（１／２）との組み合わせでは所要Ｃ／Ｎ値が４．９（ｄＢ）、ＱＰＳＫと符号化率（２／３）との組み合わせでは所要Ｃ／Ｎ値が６．６（ｄＢ）、ＱＰＳＫと符号化率（３／４）との組み合わせでは所要Ｃ／Ｎ値が７．５（ｄＢ）、ＱＰＳＫと符号化率（５／６）との組み合わせでは所要Ｃ／Ｎ値が８．５（ｄＢ）、ＱＰＳＫと符号化率（７／８）との組み合わせでは所要Ｃ／Ｎ値が９．１（ｄＢ）である。
【００２８】
また、１６ＱＡＭと符号化率（１／２）との組み合わせでは所要Ｃ／Ｎ値が１１．５（ｄＢ）、１６ＱＡＭと符号化率（２／３）との組み合わせでは所要Ｃ／Ｎ値が１３．５（ｄＢ）、１６ＱＡＭと符号化率（３／４）との組み合わせでは所要Ｃ／Ｎ値が１４．６（ｄＢ）、１６ＱＡＭと符号化率（５／６）との組み合わせでは所要Ｃ／Ｎ値が１５．６（ｄＢ）、１６ＱＡＭと符号化率（７／８）との組み合わせでは所要Ｃ／Ｎ値が１６．２（ｄＢ）である。
【００２９】
また、６４ＱＡＭと符号化率（１／２）との組み合わせでは所要Ｃ／Ｎ値が１６．５（ｄＢ）、６４ＱＡＭと符号化率（２／３）との組み合わせでは所要Ｃ／Ｎ値が１８．７（ｄＢ）、６４ＱＡＭと符号化率（３／４）との組み合わせでは所要Ｃ／Ｎ値が２０．１（ｄＢ）、６４ＱＡＭと符号化率（５／６）との組み合わせでは所要Ｃ／Ｎ値が２１．３（ｄＢ）、６４ＱＡＭと符号化率（７／８）との組み合わせでは所要Ｃ／Ｎ値が２２．０（ｄＢ）である。
【００３０】
このため、例えば、符号化率（１／２）のままで変調方式が６４ＱＡＭからＱＰＳＫに変更された場合には所要Ｃ／Ｎ値が１１．６ｄＢ分の余裕が生じるから、図１の局発レベル制御用可変減衰器１８は、それ相当分の局部発振信号の局発レベルを削減することができる。
図４は、本発明の第２実施形態に係る受信装置の概略構成を示すブロック図である。
【００３１】
図４において、受信装置には、空間に放射された電波を受信するアンテナ２１、アンテナ２１にて受信されたセグメント数が１３個の受信信号に混合される局部発振信号を減衰させる１３セグ受信時用局発トラップ２２、１３セグ受信時用局発トラップ２２を通過した受信信号を増幅する高周波増幅器２３、受信信号のセグメント数に基づいて局部発振周波数を変化させた局部発振信号を生成する局部発振器２７、局部発振器２７にて生成された局部発振信号を受信信号に混合することにより、受信信号を中間周波信号に変換する混合器２４、混合器２４から出力された中間周波信号のフィルタリングを行うことにより、中間周波信号の所望の帯域を抽出する中間周波フィルタ２５、中間周波フィルタ２５にてフィルタリングされた中間周波信号の復調処理を行う復調部２６、および受信信号のセグメント数に基づいて、混合器２４に入力される受信信号のレベルを制御する入力レベル制御用可変減衰器２８が設けられている。
【００３２】
そして、アンテナ２１にて受信された受信信号は、１３セグ受信時用局発トラップ２２を介して入力レベル制御用可変減衰器２８に送られる。そして、入力レベル制御用可変減衰器２８にて受信信号が所定の減衰量だけ減衰された後、高周波増幅器２３に送られる。そして、受信信号が高周波増幅器２３にて増幅された後、混合器２４に送られるとともに、混合器２４には、局部発振器２７にて生成された局部発振信号が出力される。そして、受信信号が混合器２４に送られると、混合器２４にて局部発振信号と混合され、受信信号が中間周波信号に変換される。そして、混合器２４にて生成された中間周波信号は、中間周波フィルタ２５に送られる。そして、中間周波フィルタ２５にて中間周波信号のフィルタリングが行われ、中間周波フィルタ２５にて抽出された中間周波信号の所望の帯域の信号が復調部２６に送られ、復調部２６にて復調処理が行われる。
【００３３】
そして、復調部２６は中間周波信号から受信信号のセグメント数を検出し、局部発振器２７、入力レベル制御用可変減衰器２８および中間周波フィルタ２５に受信セグメント数検出信号Ｓ２１を送る。そして、局部発振器２７では、受信セグメント数検出信号Ｓ２１に基づいて局部発振信号の局部発振周波数を変化させる。また、入力レベル制御用可変減衰器２８では、受信セグメント数検出信号Ｓ２１に基づいて受信信号の減衰量を変化させる。また、中間周波フィルタ２５では、受信セグメント数検出信号Ｓ２１に基づいて通過帯域の中心周波数を変化させる。
【００３４】
これにより、Ｃ／Ｎ比の余裕度に基づいて受信信号の入力レベルを変えながら局部発振周波数を変化させることが可能となる。このため、受信性能の劣化を抑制しつつ、低消費電力化を図ることが可能となるとともに、受信信号と局部発振信号との周波数が近づいたために、局部発振信号の漏洩をトラップにて除去することが困難になった場合においても、電磁放射ノイズを低減することができ、他の機器への妨害を抑制することが可能となるとともに、混変調などの強入力特性を改善することができる。
【００３５】
例えば、受信信号のセグメント数が１３の場合、局部発振器２７は、中間周波信号の中心周波数が４ＭＨｚになるように、局部発振信号の局部発振周波数を変化させることができる。また、入力レベル制御用可変減衰器２８は、受信信号の入力レベルが最大になるように受信信号の減衰量を０に設定することができる。さらに、中間周波フィルタ２５は、中心周波数が４ＭＨｚになるように通過帯域の中心周波数を変化させることができる。
【００３６】
ここで、受信信号の減衰量を０に設定することにより、受信性能を最大とすることができ、６４ＱＡＭのハイビジョン放送の受信が可能となる。また、この時の局部発振信号が高周波増幅器２３を逆流した場合においても、局部発振信号の漏洩は１３セグ受信時用局発トラップ２２にて低減することができ、アンテナ２１から局部発振信号が漏洩することを抑制して、電磁放射ノイズを低減することができる。なお、受信信号の周波数と局部発振信号の周波数は４ＭＨｚだけ離れているから、１３セグ受信時用局発トラップ２２の設計は可能である。
【００３７】
また、受信信号のセグメント数が３の場合、局部発振器２７は、中間周波信号の中心周波数が１ＭＨｚになるように、局部発振信号の局部発振周波数を変化させることができる。また、入力レベル制御用可変減衰器２８は、受信信号の入力レベルが低下するように受信信号の減衰量を増大させることができる。さらに、中間周波フィルタ２５は、中心周波数が１ＭＨｚになるように通過帯域の中心周波数を変化させることができる。
【００３８】
また、受信信号のセグメント数が１の場合、局部発振器２７は、中間周波信号の中心周波数が０．５ＭＨｚになるように、局部発振信号の局部発振周波数を変化させることができる。また、入力レベル制御用可変減衰器２８は、受信信号の入力レベルが低下するように受信信号の減衰量を最大に設定することができる。さらに、中間周波フィルタ２５は、中心周波数が０．５ＭＨｚになるように通過帯域の中心周波数を変化させることができる。
【００３９】
ここで、受信信号の入力レベルを低下させると、受信性能が悪化するが、例えば、その悪化分をＣ／Ｎ比の余裕分の１１．６ｄＢに設定しておけば、ＱＰＳＫ放送の受信が可能となる。この場合、受信信号の周波数と局部発振信号の周波数の差は０．５ＭＨｚと極めて近いため、局部発振信号の漏洩は、トラップで除去するのは困難であるが、入力レベル制御用可変減衰器２８の減衰量を増大させているため、電磁放射ノイズを抑制することができる。また、入力レベル制御用可変減衰器２８にて受信信号の入力レベルを制限しているため、混変調などの強入力特性を改善することができる。
【００４０】
なお、図４の実施形態では、１３セグ受信時用局発トラップ２２を高周波増幅器２３の前段に配置する方法について説明したが、１３セグ受信時用局発トラップ２２を高周波増幅器２３と混合器２４との間に配置するようにしてもよい。また、図４の実施形態では、受信信号のセグメント数に基づいて受信信号の入力レベルを制御するために、高周波増幅器２３の前段に入力レベル制御用可変減衰器２８を配置する方法について説明したが、高周波増幅器２３の利得を直接制御するようにしてよい。さらに、図４の実施形態では、受信信号のセグメント数に基づいて局部発振信号の局部発振周波数を変化させるために、局部発振器２７の局部発振周波数を制御する方法について説明したが、局部発振器２７の周波数を変化させるＰＬＬ回路またはＤＬＬ回路を設け、受信信号のセグメント数に基づいてＰＬＬ回路またはＤＬＬ回路の動作周波数を制御するようにしてもよい。また、図１と図４の構成を組み合わせるようにしてもよい。
【図面の簡単な説明】
【００４１】
【図１】本発明の第１実施形態に係る受信装置の概略構成を示すブロック図。
【図２】受信周波数および局部発振周波数とトラップの特性の関係を示す図。
【図３】本発明の一実施形態に係る局発レベルの制御方法を示す図。
【図４】本発明の第２実施形態に係る受信装置の概略構成を示すブロック図。
【符号の説明】
【００４２】
１１、２１  アンテナ、１２、２２  １３セグ受信時用局発トラップ、１３、２３  高周波増幅器、１４、２４  混合器、１５、２５  中間周波フィルタ、１６、２６  復調部、１７、２７  局部発振器、１８  局発レベル制御用可変減衰器、２８  入力レベル制御用可変減衰器
【図１】
0004696868.tif 000002
【図２】
0004696868.tif 000003
【図３】
0004696868.tif 000004
【図４】
0004696868.tif 000005